(57)【要約】【課題】トレイに設けられた開口部からのディスクの落下防止と誤って開口部に指や手の挟み込むことを防ぐ安全性の高いディスク装置を提供する。【解決手段】装置本体１に、トレイ駆動部８によってトレイ出入口２から突出した突出状態と装置本体１内に収納される収納状態となるトレイ５と、トレイ５のディスク受け部６にセットされたディスクがディスク回転駆動部３に装着セットされると共にそのディスクに対して情報の記録又は再生を行なうピックアップ４が臨むディスク受け部６に設けられた開口部７とを有し、その開口部７全体を、遮蔽部材１３によって前記トレイが突出状態にある時、閉にする。また、前記トレイが装置本体内に収納された収納状態にある時、開とする。【選択図】図４
2007226940.tif 000002
【特許請求の範囲】
【請求項１】
トレイ出入口を有する装置本体と、
前記装置本体内に設けられ、ディスクを回転駆動するディスク回転駆動部と、
前記ディスク回転駆動部によって回転駆動される前記ディスクに対して情報の記録又は再生を行うピックアップと、
前記トレイ出入口を介して前記装置本体に出し入れすることができるように前記装置本体に取り付けられ、前記トレイ出入口から突出した突出状態で前記ディスクの載置が可能となるディスク受け部とそのディスク受け部に設けられ、前記装置本体内に収納された収納状態で前記ディスク回転駆動部に前記ディスクが装着される一方、装着されたディスクに対して、前記ピックアップが臨む開口部とを有するトレイと、
前記トレイを前記トレイ出入口から突出した突出状態と前記装置本体内に収納した収納状態とに駆動するトレイ駆動部と、
前記トレイが突出状態にある時に前記トレイの開口部全体を閉にすると共に前記トレイが装置本体内に収納された収納状態にある時に前記トレイの開口部全体を開とする遮蔽部材とを備えていることを特徴とするディスク装置。
【請求項２】
前記遮蔽部材は、一端が前記トレイの前端部に、他端が前記装置本体に設けられ前記トレイ駆動部によって正転、逆転の回転動力が与えられる前記巻取軸にそれぞれ取付けられ、前記トレイ駆動部により前記トレイが装置本体内に収納される時、回転する前記巻取軸に巻取られ開口部全体が開となる一方、前記トレイが前記トレイ出入口から突出する時、回転する前記巻取軸から繰出され開口部全体が閉となる巻取り可能なシート材で作られていることを特徴とする請求項１記載のディスク装置。
【発明の詳細な説明】
【技術分野】
【０００１】
本発明は、ディスクに対して情報の記録及び／又は再生を行うディスク装置に関する。
【背景技術】
【０００２】
一般的に、光ディスクのようなディスク状記録媒体（以下、単にディスクとも称する）は、映像信号、音声信号、コンピュータデータ等の情報信号を、円盤状のディスク基板上に螺旋状又は同心円状に形成したトラックに高密度に記録することができ、且つ、記録済みの情報を読み取る際には所望のトラックを高速でアクセスできることから、各種の機器に多用されている。
【０００３】
上記のディスクに対して情報の記録又は再生を行うにあたって、最近のディスク装置では、トレイ方式やスロットイン方式等の周知のディスクローディング機構によって装置内にディスクを装填するようにしている。
【０００４】
ここで、トレイ方式によってディスクを装填するようにしたディスク装置について、図８から図１２を参照して説明する。
【０００５】
図８はこの種のディスク装置の一例を模式的に示す斜視図、図９は図８のディスク装置のトレイを収納した収納状態を模式的に示す平面図、図１０は図８のディスク装置のトレイを収納した収納状態を模式的に示す側面図、図１１は図８のディスク装置のトレイが突出した突出状態を模式的に示す平面図、図１２は図８のディスク装置のトレイが突出した突出状態を模式的に示す側面図である。
【０００６】
このディスク装置のディスクローディング機構は、ディスクを搬送するトレイ１０１と、このトレイ１０１を装置本体１０２に形成されたトレイ出入口１０３を介して装置本体１０２に出し入れするトレイ駆動機構１０４と、トレイ１０１上のディスクをディスク回転駆動部１０５に対してチャッキングするためのチャッキング機構（図示せず）とから成っている。
【０００７】
トレイ１０１は、ディスクを載置可能な円形且つ凹状のディスク受け部１０６と、底面に形成された開口部１０７と、ラックギア（図示せず）とを有する。開口部１０７は、ディスク回転駆動部１０５にディスクが装着された状態でディスク回転駆動部１０５及びピックアップ１０８がディスクを臨めるよう形成されている。
【０００８】
トレイ駆動機構については多種類の機構が開発されているが、一例として、図９乃至図１２に示すような、前記ラックギアと、これに噛み合う歯車１０９と、トレイ駆動用モータ１１０とから成る簡素な構成のトレイ駆動機構がある。この機構は、トレイ駆動用モータ１１０を駆動することにより歯車１０９が回転し、前記ラックギアを介してトレイ１０１が装置本体１０２に出入りするように構成されている。
【０００９】
また、前記チャッキング機構は、装置本体１０２内においてトレイ１０１の昇降動作もしくはディスク回転駆動部１０５の昇降動作を行い、トレイ１０１の開口部１０７を通じて、ディスクをディスク回転駆動部１０５に対してチャッキングする。
【００１０】
上記のディスク装置において、ディスクに対して情報の記録及び／又は再生を行う場合には、ユーザがトレイ開閉ボタン１１１を押してトレイ１０１を突出させ、ディスクを装着した後、トレイ開閉ボタン１１１を押してトレイ１０１を装置本体１０２に収納する。
【００１１】
次いで、前記チャッキング機構が、トレイ１０１の開口部１０７を通じて、ディスクをディスク回転駆動部１０５にチャッキングする。その後、ディスク回転駆動部１０５がディスクを回転させ、ピックアップ１０８が、トレイ１０１の開口部１０７を通じて、ディスクに対して情報の記録及び／又は再生を行う。
【００１２】
このディスク装置において、ディスクを取り出す場合には、ユーザがトレイ開閉ボタン１１１を押す。すると、ピックアップ１０８及びディスク回転駆動部１０５の動作が停止し、前記チャッキング機構がディスクをディスク回転駆動部１０５から離脱させた後、トレイ１０１が装置本体１０２の外へ突出する。そして、ユーザがディスク受け部１０６に装着されているディスクを取り出す。
【００１３】
ここで、トレイ１０１が突出した状態では、図１１及び図１２に示すように、ディスク受け部１０６及び開口部１０７は装置本体１０２の外部に露出している。この状態において、小径のディスクや想定外の形状のディスク等をディスク受け部１０６に装着した場合には、トレイ１０１の収納時に、開口部１０７からディスクが落下するか、又は開口部１０７にディスクを挟み込む等の不具合が発生することがあり、ディスクの破損やディスク装置の故障の一因となっていた。
【００１４】
このような現象を防ぐ先行技術例としては、トレイの開口部の一部分に動作板が移動してきてディスクの落下を防止する構成のものや（例えば、特許文献１参照）、光センサを用いてディスクの装着状態を判定する構成のもの等が存在する（例えば、特許文献２参照）。
【特許文献１】特開平０４−８５７５３号公報
【特許文献２】特開２００２−７４８０１号公報
【発明の開示】
【発明が解決しようとする課題】
【００１５】
上記の従来技術において、いずれの手段もトレイの突出時にトレイの開口部全体を完全に塞ぐ手段にはなっておらずディスクの落下防止はできるものの、落下防止以外の例えば異物の挟み込み等については完全には防ぎきれない。
【００１６】
特に幼児等がいる家庭にあってはいたずら等によって幼児等が指又は手等を挟み込む恐れのないことが望まれると共に、異物が挟まれた場合には、故障する要因となる。
【００１７】
本発明は上記問題点に鑑みてなされたものであり、その目的は、トレイの突出時において、トレイの開口部からのディスクの落下と、誤って挿入される指や手、あるいは異物などの挟み込みを防止でき、且つ安全性が高いディスク装置を提供することにある。
【課題を解決するための手段】
【００１８】
上記目的を達成するために、本発明のディスク装置は、トレイ出入口を有する装置本体と、前記装置本体内に設けられ、ディスクを回転駆動するディスク回転駆動部と、前記ディスク回転駆動部によって回転駆動される前記ディスクに対して情報の記録又は再生を行うピックアップと、前記トレイ出入口を介して前記装置本体に出し入れすることができるように前記装置本体に取り付けられ、前記トレイ出入口から突出した突出状態で前記ディスクの載置が可能となるディスク受け部とそのディスク受け部に設けられ、前記装置本体内に収納された収納状態で前記ディスク回転駆動部に前記ディスクが装着される一方、装着されたディスクに対して、前記ピックアップが臨む開口部とを有するトレイと、前記トレイを前記トレイ出入口から突出した突出状態と前記装置本体内に収納した収納状態とに駆動するトレイ駆動部と、前記トレイが突出状態にある時に前記トレイの開口部全体を閉にすると共に前記トレイが装置本体内に収納された収納状態にある時に前記トレイの開口部全体を開とする遮蔽部材とを備えていることを特徴とする。
【発明の効果】
【００１９】
本発明によれば、トレイの突出時において、開口部全体は遮蔽部材によって閉じられるためトレイの開口部からのディスクの落下を確実に防止できる。また、ディスクだけでなく、誤って指や手、異物などの挟み込みも防止できるので安全性が向上する。
【００２０】
一方、トレイが装置本体内に収納された時は開口部全体が開となるためディスク回転駆動部によって回転するディスクに対してピックアップによる記録又は再生を支障なく行なうことができる。
【発明を実施するための最良の形態】
【００２１】
本発明にあっては、最良の形態につき好ましい実施例として、前記遮蔽部材を、前記トレイの前端部に一方となる一端を、他方となる他端を前記装置本体に設けられた前記トレイ駆動部によって正転、逆転の回転動力が与えられる前記巻取軸にそれぞれ取付け、前記トレイ駆動部により前記トレイが前記装置本体内に収納される時、回転する前記巻取軸に巻取り開口部全体を開とする一方、前記トレイが前記トレイ出入口から突出する時、回転する前記巻取軸から繰出し開口部全体を閉とする巻取り可能なシート材で作ることで、トレイ駆動部の動力を利用するシンプルな構造で遮蔽部材による開口部全体の開と閉状態が無理なく確実に得られるようにする。
【００２２】
以下、図１乃至図７の図面を参照しながら本発明について具体的に説明する。
【００２３】
図１は本発明の一実施形態であるディスク装置を模式的に示す斜視図、図２は図１のディスク装置のトレイを収納した収納状態を模式的に示す平面図、図３は図１のディスク装置のトレイを収納した収納状態を模式的に示す側面図、図４は図１のディスク装置のトレイが突出した突出状態を模式的に示す平面図、図５は図１のディスク装置のトレイが突出した突出状態を模式的に示す側面図、図６は図１のディスク装置の遮蔽部材を模式的に示す斜視図、図７は図１のディスク装置の遮蔽部材及び巻取軸を模式的に示す側面図である。
【００２４】
図１に示すディスク装置は、例えば光ディスク（図示せず）などのディスク状記録媒体に対して情報の記録及び再生を行うもので、直方体状の装置本体１を備えており、その前面にはトレイ出入口２が設けられている。以下、ディスクを代表して光ディスクを用いた例を説明する。
【００２５】
図２及び図３に示すように、装置本体１内にはディスク回転駆動部３が設けられている。このディスク回転駆動部３は、光ディスクのセンターホールに着脱可能に嵌合するスピンドルを有しており、光ディスクを水平に支持すると共に所定速度で回転駆動する。なお、図示しないが、ディスク回転駆動部３に装着された光ディスクをチャッキングするチャッキング機構（図示していない）が設けられている。
【００２６】
このディスク回転駆動部３に隣接してピックアップ４が設けられている。このピックアップ４は、ディスク回転駆動部３で回転駆動される光ディスクの径方向（図２の左右方向）に往復移動して光ディスクに対して情報の記録及び再生を行う。
【００２７】
５は光ディスクを出し入れするためのトレイで、トレイ出入口２を介して装置本体１に出し入れすることができるように装置本体１に取り付けられている。このトレイ５は底の浅い円形かつ凹状のディスク受け部６を有しており、トレイ５がトレイ出入口２から突出した突出状態（図４参照）で、このディスク受け部６に光ディスクの載置が可能となっている。
【００２８】
トレイ５には、ディスク受け部６の中央部から後方に延びる開口部７が形成されている。この開口部７は、トレイ５が装置本体１内に収納された収納状態（図２参照）において、図示していないチャッキング機構を有するディスク回転駆動部３及びピックアップ４が臨む広さに形成されている。これにより、ディスク受け部６の光ディスクはディスク回転駆動部３に装着される一方、装着された光ディスクに対して下からピックアップ４が臨むようになっている。
【００２９】
図３において、８はトレイ駆動部で、トレイ５に形成されたラックギア（図示せず）に噛み合う平歯車９と、この平歯車９を回転駆動するトレイ駆動用モータ１０とから成っている。トレイ駆動用モータ１０を駆動することにより平歯車９が回転し、前記ラックギアを介してトレイ５が前後に移動する。
【００３０】
なお、図１に示すように、装置本体１の前面にはトレイ開閉ボタン１１が設けられており、これを押圧操作すると、トレイ駆動部８が作動し前記トレイ５をトレイ出入口２から突出する突出状態と装置本体１内に収納される収納状態とに出入り可能とする。
【００３１】
図２において、１２は巻取軸で、トレイ出入口２とディスク回転駆動部３との間において水平かつトレイ５の下位で出し入れ方向と直交するように配置されている。この巻取軸１２は、図示しない軸受けにより装置本体１に対して軸線まわりに回転自在に支持されている。
【００３２】
この巻取軸１２には遮蔽部材１３の一端が接続されている。この遮蔽部材１３は、図６に示すように、帯状のシート材から成り、可撓性を有する巻き取り可能なもので、かつ光ディスクの落下や指などの挟み込みの可能性をなくすことができる強度を有している。そのような材質としては、例えば、ビニール、ナイロン、ゴム等を挙げることができる。
【００３３】
図５に示すように、巻取軸１２から延長された遮蔽部材１３はトレイ５の下方に配置され、その端部がトレイ５における開口部７よりも先端側の部位に接続されている。なお、図４に示すように、遮蔽部材１３の横幅は開口部７の横幅よりも大きくなっている。
【００３４】
１４は巻取軸駆動手段で、その動力源はトレイ駆動部８となっている。具体的には巻取軸１２の一方の端面に対向するように垂直に配置されると共に軸線まわりに回転することができるように装置本体１に支持された回転軸１５と、その上端に取り付けられると共にトレイ駆動装置８の平歯車９に噛合した平歯車１６と、回転軸１５の中間部に取り付けられた傘歯車１７と、この傘歯車１７に噛合すると共に巻取軸１２の一端に取り付けられた傘歯車１８とで巻取軸１２の伝導系を構成している。
【００３５】
次に、上記のように構成されたディスク装置の作用について説明する。
【００３６】
図２、図３に示すように、トレイ５が装置本体１内に収納された収納状態にある時、遮蔽部材１３は、ほぼ全長にわたって巻取軸１２に巻き取られた状態にあって開口部７の全体は開となっている（図７（ａ）参照）。この時、光ディスクはディスク回転駆動部３に装着されると共に装着された光ディスクに対して下からピックアップ４が臨み録音又は再生が可能となる。
【００３７】
次に、装置本体１の前面のトレイ開閉ボタン１１（図１参照）を押すと、トレイ駆動部８が作動し、トレイ５をトレイ出入口２から前方へ突出させると共に、その時の牽引作用と巻取軸１２の回転により巻取軸１２に巻取られた遮蔽部材１３をトレイ５の下面に沿って繰り出していく。トレイ５の突出完了と同時に開口部７の全体は遮蔽部材１３によって閉の状態となる。
【００３８】
この結果、トレイ受け部６に誤って小さい径の光ディスク等をセットしたとしても下方へ落下するのを確実に防げるようになる。また、幼児等がいたずらして開口部７に指等を挿入しようとしても遮蔽部材１３によって阻止され事故につながる挟み込みを防ぐことができる。
【００３９】
なお、トレイ５の出し入れに伴って巻取軸１２を回転させる伝導機構としては、上記実施形態で説明した機構以外にも種々の機構を採用することができる。
【図面の簡単な説明】
【００４０】
【図１】本発明の一実施形態であるディスク装置を模式的に示す斜視図である。
【図２】図１のディスク装置のトレイを収納した収納状態を模式的に示す平面図である。
【図３】図１のディスク装置のトレイを収納した収納状態を模式的に示す側面図である。
【図４】図１のディスク装置のトレイが突出した突出状態を模式的に示す平面図である。
【図５】図１のディスク装置のトレイが突出した突出状態を模式的に示す側面図である。
【図６】図１のディスク装置の遮蔽部材を模式的に示す斜視図である。
【図７】図１のディスク装置の遮蔽部材及び巻取軸を模式的に示す側面図である。
【図８】従来のディスク装置の一例を模式的に示す斜視図である。
【図９】図８のディスク装置のトレイを収納した状態を模式的に示す平面図である。
【図１０】図８のディスク装置のトレイを収納した状態を模式的に示す側面図である。
【図１１】図８のディスク装置のトレイが突出した状態を模式的に示す平面図である。
【図１２】図８のディスク装置のトレイが突出した状態を模式的に示す側面図である。
【符号の説明】
【００４１】
１  装置本体
２  トレイ出入口
３  ディスク回転駆動部
４  ピックアップ
５  トレイ
６  ディスク受け部
７  開口部
８  トレイ駆動部
１２  巻取軸
１３  遮蔽部材
【図１】
2007226940.tif 000003
【図２】
2007226940.tif 000004
【図３】
2007226940.tif 000005
【図４】
2007226940.tif 000006
【図５】
2007226940.tif 000007
【図６】
2007226940.tif 000008
【図７】
2007226940.tif 000009
【図８】
2007226940.tif 000010
【図９】
2007226940.tif 000011
【図１０】
2007226940.tif 000012
【図１１】
2007226940.tif 000013
【図１２】
2007226940.tif 000014